(57)【要約】  本発明は、デンタルインプラントアナログ、デンタルインプラントアナログを含むインプラントアナログのキット、患者の歯群の物理的模型とデンタルインプラントアナログの組合せ、およびデンタルインプラントアナログを患者の歯群の物理的模型に配置する方法に関する。
2021508280.tif 000002
【特許請求の範囲】
【請求項１】
細長い円柱状の本体を備えるデンタルインプラントアナログ（５）であって、反対側に面する第１面と第２面を有し、前記第１面は、使用時に前記インプラントアナログと患者の歯の物理的模型の１つまたは複数の面との積極的な位置合わせのための基準面であり、前記インプラントアナログは、使用時に患者の歯群の前記物理的模型の貫通孔内に引っ張るか、または押し込むことによって挿入され、患者の歯の前記物理的模型の前記１つまたは複数の面は、前記貫通孔を囲んでおり、前記デンタルインプラントアナログは、
遠位端部（３）と、
近位端部（１）と、
前記遠位端部と前記近位端部との間に位置する中央部または中間部（２）と、をさらに備え、
前記近位端部は、切削手段を有し、前記切削手段は、使用時に患者の歯群の前記物理的模型の前記貫通孔の内部面に存在する余分な材料を掻き落とし、これにより、前記インプラントアナログが患者の歯群の前記物理的模型の前記貫通孔に確実にぴったりと嵌り、前記切削手段は、切削刃（１１）であることを特徴とするデンタルインプラントアナログ。
【請求項２】
前記インプラントアナログは、使用時に前記第１面から前記貫通孔に挿入されることを特徴とする請求項１に記載のデンタルインプラントアナログ。
【請求項３】
前記遠位端部は前記第１面を有し、前記近位端部は前記第２面を有することを特徴とする請求項１または請求項２に記載のデンタルインプラントアナログ。
【請求項４】
前記遠位端部は前記第２面を有し、前記近位端部は前記第１面を有することを特徴とする請求項１または請求項２に記載のデンタルインプラントアナログ。
【請求項５】
前記インプラントアナログは、
回転防止手段（７）と、
案内手段（８，９，１０）と、をさらに備えることを特徴とする請求項１から請求項４のいずれか１項に記載のデンタルインプラントアナログ。
【請求項６】
前記近位端部は、前記アナログの長手方向軸に沿った少なくとも１つの内部穴（４）をさらに有し、前記少なくとも１つの内部穴は、めねじを備えることを特徴とする請求項１から請求項５のいずれか１項に記載のデンタルインプラントアナログ。
【請求項７】
前記回転防止手段は、前記めねじを備える前記少なくとも１つの内部穴を囲む突出部および／またはリセスを含み、前記の突出部および／またはリセスは、使用時に患者の歯群の前記物理的模型の前記貫通孔に設けられた相補的なリセスおよび／または突出部（１２）と係合し、患者の歯群の前記物理的模型内における前記デンタルインプラントアナログの望ましくない回転を防止することを特徴とする請求項６に記載のデンタルインプラントアナログ。
【請求項８】
前記回転防止手段は、前記案内手段を含むことを特徴とする請求項１から請求項７のいずれか１項に記載のデンタルインプラントアナログ。
【請求項９】
前記近位端部は、前記回転防止手段と前記案内手段を含むことを特徴とする請求項１から請求項８のいずれか１項に記載のデンタルインプラントアナログ。
【請求項１０】
前記中間部は、前記案内手段を含むことを特徴とする請求項１から請求項９のいずれか１項に記載のデンタルインプラントアナログ。
【請求項１１】
前記案内手段は、環状のリップ部（９）を有し、前記リップ部は、使用時に患者の歯群の前記物理的模型の前記貫通孔に設けられた１つまたは複数の相補的な突出部（１５）と係合し、前記１つまたは複数の相補的な突出部とのスナップフィットを提供することを特徴とする請求項１から請求項１０のいずれか１項に記載のデンタルインプラントアナログ。
【請求項１２】
前記環状のリップ部（９）は、前記長手方向軸に沿って前記めねじを備える前記少なくとも１つの内部穴を囲む円状のリップ部を含み、前記環状のリップ部（９）は、傾斜した係合用の上面を有する三角形の要素を含むことを特徴とする請求項１１に記載のデンタルインプラントアナログ。
【請求項１３】
前記傾斜した上面は、使用時にスナップフィット方式で患者の歯群の前記物理的模型の前記貫通孔に設けられた前記１つまたは複数の相補的な突出部と係合することを特徴とする請求項１２に記載のデンタルインプラントアナログ。
【請求項１４】
前記中間部は、切削手段を含むことを特徴とする請求項１から請求項１３のいずれか１項に記載のデンタルインプラントアナログ。
【請求項１５】
前記遠位端部は、切削手段を含むことを特徴とする請求項１から請求項１４のいずれか１項に記載のデンタルインプラントアナログ。
【請求項１６】
インプラントアナログのキット（１６）であって、
請求項６から請求項１５のいずれか１項に記載の前記デンタルインプラントアナログと、
第１端部（１８，２２）と第２端部（１７，２１）を有する要素と、を有し、前記第１端部は、前記少なくとも１つの内部穴の前記めねじと係合するように設けられたおねじを備えることを特徴とするインプラントアナログのキット。
【請求項１７】
前記要素は、前記第１端部が前記少なくとも１つの内部穴のめねじと係合した状態で、前記デンタルインプラントアナログを所定位置に引っ張る締付工具であることを特徴とする請求項１６に記載のインプラントアナログのキット。
【請求項１８】
前記要素は、前記第２端部（１７）に引張工具または押込工具（１９）と係合するように設けられた係合面を有する細長いピンなどの細長い要素であることを特徴とする請求項１６に記載のインプラントアナログのキット。
【請求項１９】
前記要素は、ねじ（２０）であり、前記第２端部（２１）は、締付工具の突起またはリセスと噛み合うように設けられた係合面を有することを特徴とする請求項１６に記載のインプラントアナログのキット。
【請求項２０】
患者の歯群の物理的模型と請求項６から請求項１５のいずれか１項に記載のデンタルインプラントアナログの組合せであって、患者の歯群の前記物理的模型は、基部面と、基部面とは反対側の歯肉部と、前記基部面から前記基部面とは反対側の歯肉部まで延びる貫通孔と、を有し、前記貫通孔は、前記少なくとも１つの内部穴を囲む相補的な突出部および／またはリセスと係合する１つまたは複数のリセスおよび／または突出部を含み、患者の歯群の前記物理的模型の前記貫通孔に設けられた前記１つまたは複数の突出部は、１つまたは複数のウェッジ要素を含み、患者の歯群の前記物理的模型の前記貫通孔に設けられた前記１つまたは複数の突出部は、前記貫通孔の内部面に設けられた１つまたは複数の凹部であることを特徴とする組合せ。
【請求項２１】
前記１つまたは複数の凹部は、前記貫通孔の前記内部面に設けられた溝であることを特徴とする請求項２０に記載の組合せ。
【請求項２２】
請求項１６から請求項１９のいずれか１項に記載のインプラントアナログのキットを使用して、デンタルインプラントアナログを患者の歯群の物理的模型に配置する方法であって、前記方法は、
請求項１から請求項９のいずれか１項に記載のデンタルインプラントアナログを、患者の歯群の前記物理的模型の基部面から前記基部面とは反対側の歯肉面まで延びる貫通孔の前記歯肉面を通して挿入し、
前記要素の前記第１端部を、前記基部面から前記基部面とは反対側の歯肉面まで延びる前記貫通孔の前記基部面を通して挿入し、
前記要素の前記第１端部の前記おねじを、前記少なくとも１つの内部穴の前記めねじと係合させ、
前記要素、前記引張工具または前記押込工具の端面と、前記インプラントアナログの底面などの前記第１面が接触して、前記端面と前記底面が、前記貫通孔を囲む前記物理的模型の基部面などの患者の歯の前記物理的模型の前記１つまたは複数の面と一致するまで、前記デンタルインプラントアナログを所定位置に引っ張るか、あるいは押し込むことを含むことを特徴とする方法。
【発明の詳細な説明】
【技術分野】
【０００１】
本発明は、デンタルインプラントアナログ、デンタルインプラントアナログを含むインプラントアナログのキット、患者の歯群の物理的模型とデンタルインプラントアナログの組合せ、およびデンタルインプラントアナログを患者の歯群の物理的模型に配置する方法に関する。
【背景技術】
【０００２】
患者の歯群の物理的模型では、要求される技術的公差、つまり、物理的模型の異なる物理的寸法の設計値と実際値との許容差が非常に小さい。
【０００３】
低コストな付加製造技術などの低コストな印刷機は、設計寸法から実質的に外れた物理的寸法を有する物理的模型を製造するおそれがあるため、このような水準の公差は必ずしも得られない。
【０００４】
このため、インプラントアナログが対応する物理的模型にぴったりと嵌らないか、あるいは物理的模型内の貫通孔の寸法および形状に大幅な変形を伴ってぴったりと嵌るという不利益が生じる。また、物理的模型に高い圧力が加わることと、これに対応する変形により、インプラントの配置が不正確になり、これによってインプラントアナログの配置が不正確になり、歯の復元処置に直接影響が及ぼされる。
【０００５】
従って、僅かに不正確な寸法を有する患者の歯の物理的模型であっても確実にぴったりと嵌るインプラントアナログが求められている。
【発明の概要】
【発明が解決しようとする課題】
【０００６】
本発明の目的は、患者の歯の物理的模型の寸法が僅かに不正確であっても、正確に配置することができるインプラントアナログを提供することである。
本発明の目的は、従来技術の上述の不利益や難点を全体としてまたは部分的に解消することである。
本発明の目的は、さらに、従来技術の代替品を提供することである。
【課題を解決するための手段】
【０００７】
上述の目的およびいくつかの他の目的は、細長い円柱状の本体を備えるデンタルインプラントアナログであって、反対側に面する第１面と第２面を有し、第１面は、使用時にインプラントアナログと患者の歯の物理的模型の１つまたは複数の面との積極的な位置合わせのための基準面であるデンタルインプラントアナログを提供する本発明の第１態様によって達成される。
【０００８】
インプラントアナログの位置合わせのために外部の基準面を使用することで、面のアクセスのしやすさおよび視認性がより良好となり、内部面で生じるおそれがある障害を避けることができる。
【０００９】
積極的な位置合わせ（ａｃｔｉｖｅ  ａｌｉｇｎｍｅｎｔ）は、引張り、押込み、ねじ込みなどの直接的な動作によって達成される位置合わせとして定義される。
【００１０】
位置合わせは、第１面が患者の歯の物理的模型の１つまたは複数の面と重なるときに達成される。
【００１１】
いくつかの実施形態では、インプラントアナログは、患者の歯群の物理的模型の貫通孔に挿入され、患者の歯の物理的模型の１つまたは複数の面が貫通孔を囲む。
【００１２】
積極的な位置合わせは、患者の歯群の物理的模型の貫通孔を囲む１つまたは複数の面と行われてもよい。
【００１３】
いくつかの他の実施形態では、インプラントアナログは、使用時に第１面から貫通孔に挿入される。
【００１４】
第１面は、基準面で、使用時に貫通孔に最初に挿入される面であり、つまり、他の面または物が貫通孔に挿入される前に挿入される面である。実際に、基準面としての第１面は、貫通孔への挿入方向に沿って先頭にある。
【００１５】
いくつかの実施形態では、デンタルインプラントアナログは、遠位端部と、近位端部と、遠位端部と近位端部との間に位置する中央部または中間部と、をさらに備える。いくつかの他の実施形態では、近位端部は、インプラントアナログの長手方向軸に沿った少なくとも１つの内部穴を有し、この少なくとも１つの内部穴はめねじを備える。
【００１６】
いくつかの他の実施形態では、遠位端部が第１面を有し、近位端部が反対側の第２面を有してもよい。
【００１７】
いくつかの他の実施形態では、遠位端部が第２面を有し、近位端部が第１面を有してもよい。
【００１８】
第２面は、細長いデンタルインプラントアナログの反対側の端部に設けることができるので反対側である。
【００１９】
いくつかの実施形態では、デンタルインプラントアナログは、回転防止手段および／または案内手段および／または切削手段をさらに備える。
【００２０】
回転防止手段は、めねじを備える少なくとも１つの内部穴を囲む突出部および／またはリセスを含んでもよく、これらの突出部および／またはリセスは、使用時に患者の歯群の物理的模型の貫通孔に設けられた、すなわち貫通孔の内部面に設けられた相補的なまたは対応するリセスおよび／または突出部と係合する。回転防止手段が設けられていることにより、患者の歯群の物理的模型内におけるデンタルインプラントアナログの望ましくない回転が防止される。
【００２１】
いくつかの実施形態では、回転防止手段は、互いに反対側に位置する２つのリセス、すなわちアナログの中心軸に対して反対側の位置に設けられた２つのリセスであり、使用時にインプラントアナログの望ましくない横移動を防止する。
【００２２】
回転防止手段は近位端部に設けることができ、すなわち、近位端部は回転防止手段を含んでもよい。
【００２３】
回転防止手段は、案内手段を含みうる。
【００２４】
回転防止手段は、インプラントアナログをセンタリングして患者の歯群の物理的模型の貫通孔内に正確に案内する機能をさらに有することができる。
【００２５】
いくつかの実施形態では、近位端部は案内手段をさらに含む。
【００２６】
案内手段は、インプラントアナログの近位端部に設けられた物理的模型の相補的な突出部と噛み合う１つのリセスであってもよく、リセスと突出部が噛み合う挿入方向が１つしかないようにリセスによって正しい挿入方向が提供される。
リセスは案内機能を有し、物理的模型の１つの突出部のみがインプラントアナログのリセスと相補的であるため、特定の１つの方向にしか挿入できず、挿入の方向性を提供する。
【００２７】
案内手段は、インプラントアナログの他の部分に設けることもできる。
【００２８】
いくつかの実施形態では、案内手段は中間部に設けられており、すなわち、中間部が案内手段を含んでいる。
【００２９】
いくつかの実施形態では、案内手段は、環状のリップ部を有し、このリップ部は、使用時に患者の歯群の物理的模型の貫通孔、すなわちその内部面に設けられた１つまたは複数の相補的な突出部と係合し、１つまたは複数の相補的な突出部とのスナップフィットを提供する。
【００３０】
環状のリップ部と１つまたは複数の相補的な突出部との係合により、インプラントが正確な位置に固定され、インプラントの望ましくない取外しが防止される。
【００３１】
環状のリップ部は、長手方向軸に沿っためねじを備える少なくとも１つの内部穴を囲む円状のリップ部を含んでもよい。
【００３２】
環状のリップ部は、傾斜した係合用の上面を有するウェッジやウェッジリップなどの三角形の要素を含んでもよい。
【００３３】
傾斜した上面は、使用時には、スナップフィット方式で患者の歯群の物理的模型の貫通孔に設けられた１つまたは複数の相補的な突出部と係合可能である。
【００３４】
切削手段は、インプラントアナログの異なる部分に設けてもよい。
【００３５】
いくつかの実施形態では、近位端部は切削手段をさらに含む。
【００３６】
いくつかの他の実施形態では、中間部が切削手段を含む。
【００３７】
いくつかの他の実施形態では、遠位端部が切削手段を含む。
【００３８】
切削手段があることで、物理的模型の対応する突出部の表面に存在する余分な材料が切削、あるいは掻くことなどによって除去され、患者の歯群の物理的模型の貫通孔内において確実にセンタリングされてぴったりと嵌る（ｔｉｇｈｔ  ｆｉｔ）。
これにより、インプラントが、設計寸法から実質的に外れた物理的寸法を有する物理的模型にぴったりと嵌るようになる。
また、これにより、物理的模型の変形を引き起こすおそれがある過剰な圧力を物理的模型に加えることなく、インプラントを所定位置に引っ張ることができる。
【００３９】
切削手段は、使用時に患者の歯群の物理的模型の貫通孔の内部面に存在する余分な材料を除去することができ、これにより、インプラントアナログが患者の歯群の物理的模型の貫通孔に確実にぴったりと嵌る。
【００４０】
余分な材料は、インプラントが物理的模型にぴったりと嵌ることを妨げる過剰な材料である。
【００４１】
切削手段は、切削刃であってもよい。
【００４２】
切削刃は、切削機能を有する刃面である。
【００４３】
切削刃は、切削機能を有する鋭い端部、すなわち、物理的模型の変形を引き起こすおそれがある過剰な圧力を物理的模型に加えることなく、インプラントアナログが公差の小さい物理的模型に確実にぴったりと嵌るようにする端部である。
【００４４】
従って、本発明の一態様は、細長い円柱状の本体を備えるデンタルインプラントアナログであって、反対側に面する第１面と第２面を有し、第１面は、使用時にインプラントアナログと患者の歯の物理的模型の１つまたは複数の面との積極的な位置合わせのための基準面であり、インプラントアナログは、使用時に患者の歯群の物理的模型の貫通孔内に引っ張るか、または押し込むことによって挿入され、患者の歯の物理的模型の１つまたは複数の面は、貫通孔を囲んでおり、デンタルインプラントアナログは、遠位端部と、近位端部と、遠位端部と近位端部との間に位置する中央部または中間部と、をさらに備え、近位端部は、切削手段を有し、切削手段は、使用時に患者の歯群の物理的模型の貫通孔の内部面に存在する余分な材料を掻き落とし、これにより、インプラントアナログが患者の歯群の物理的模型の貫通孔に確実にぴったりと嵌り、切削手段は、切削刃であるデンタルインプラントアナログに関する。
【００４５】
従って、切削手段および切削刃は、セルフタッピングねじではなく、インプラントアナログが貫通孔内に引っ張られるか、もしくは押し込まれることによって挿入されるときに、患者の歯群の物理的模型の貫通孔の内部面上の余分な材料を掻くことによって除去する切削刃である。
【００４６】
いくつかの実施形態では、インプラントアナログは、回転防止機能を有する、互いに反対側に位置する２つのリセスを含む。互いに反対側に位置する２つのリセスは、それぞれ鋭い切削刃を有しうる。インプラントアナログは、物理的模型の相補的な突出部と噛み合って正しい挿入方向を提供する、案内機能を有する他のリセスをさらに含むことができる。この第３のリセスは、互いに反対側に位置する２つのリセスと共に回転防止機能のつり合いと物理的模型内におけるインプラントアナログのセンタリングを提供する。互いに反対側に位置する２つのリセスは、使用時にインプラントアナログを物理的模型の貫通孔に挿入するときに、物理的模型の貫通孔の内部面に存在する過剰な材料であって、物理的模型の貫通孔内で反対側に位置する２つの相補的な突出部の面上に存在する過剰な材料を、切削および／または掻くことによって除去する切削刃などの切削要素をそれぞれさらに有する。
【００４７】
他の態様では、本発明は、細長い円柱状の本体を備えるデンタルインプラントアナログであって、遠位端部と、近位端部と、遠位端部と近位端部との間に位置する中央部または中間部と、をさらに備え、近位端部は、アナログの長手方向軸に沿った少なくとも１つの内部穴を有し、少なくとも１つの内部穴はめねじを備え、インプラントアナログは、回転防止手段と、案内手段と、切削手段と、をさらに備えるデンタルインプラントアナログに関する。
【００４８】
第２態様では、本発明は、インプラントアナログのキットであって、第１態様に係るデンタルインプラントアナログと、第１端部と第２端部を有する要素と、を有し、第１端部は、少なくとも１つの内部穴のめねじと係合するように設けられたおねじを備えるインプラントアナログのキットに関する。
【００４９】
いくつかの実施形態では、上記要素は、第１端部が少なくとも１つの内部穴のめねじと係合した状態で、デンタルインプラントアナログを所定位置に引っ張る締付工具である。
【００５０】
いくつかの他の実施形態では、上記要素は、第２端部に引張工具または押込工具と係合するように設けられた係合面を有する細長いピンなどの細長い要素である。
【００５１】
引張工具またはプラーは、デンタルインプラントアナログと係合した細長いピンを引っ張ることにより、デンタルインプラントアナログを所定位置に引っ張る機能を有する工具である。
【００５２】
いくつかの他の実施形態では、上記要素はねじであり、第２端部は、締付工具の突起またはリセスと噛み合うように設けられた係合面を有する。
【００５３】
第３態様では、本発明は、患者の歯群の物理的模型と本発明の第１態様に係るインプラントアナログの組合せであって、患者の歯群の物理的模型は、基部面と、基部面とは反対側の歯肉部と、基部面から基部面とは反対側の歯肉部まで延びる貫通孔と、を有し、貫通孔は、少なくとも１つの内部穴を囲む相補的な突出部および／またはリセスと係合する１つまたは複数のリセスおよび／または突出部を含む組合せに関する。
【００５４】
いくつかの実施形態では、患者の歯群の物理的模型の貫通孔に設けられた１つまたは複数の突出部は、１つまたは複数のウェッジ要素を含む。
【００５５】
いくつかの他の実施形態では、患者の歯群の物理的模型の貫通孔に設けられた１つまたは複数の突出部は、貫通孔の内部面に設けられた１つまたは複数の凹部である。
【００５６】
１つまたは複数の凹部は、貫通孔の内部面に設けられた溝であってもよい。
【００５７】
溝は、貫通孔の内部面に形成された長くて狭い凹部である。
【００５８】
第４態様では、本発明は、本発明の第２態様に係るインプラントアナログのキットを使用して、デンタルインプラントアナログを患者の歯群の物理的模型に配置する方法であって、この方法は、本発明の第１態様に係るデンタルインプラントアナログを、患者の歯群の物理的模型の基部面から基部面とは反対側の歯肉面まで延びる貫通孔の歯肉面を通して挿入し、要素の第１端部を、基部面から基部面とは反対側の歯肉面まで延びる貫通孔の基部面を通して挿入し、要素の第１端部のおねじを、少なくとも１つの内部穴のめねじと係合させ、要素、引張工具または押込工具の端面と、インプラントアナログの底面などの第１面が接触して、端面と底面が、貫通孔を囲む物理的模型の基部面などの患者の歯の物理的模型の１つまたは複数の面と一致するまで、デンタルインプラントアナログを所定位置に引っ張るか、押し込むか、あるいはねじ込むことを含む方法に関する。
【００５９】
従って、アナログの位置決めは、アナログの面と、引張工具、押込工具、または締付工具の対応する面とが接触し、患者の歯の物理的模型の適切な外側面と一致したときに達成される。
【００６０】
接触は、面接触である。
要素、つまり引張工具または押込工具の端面と、インプラントアナログの第１面との接触は、第１面が貫通孔を囲む患者の歯の物理的模型の対応する１つまたは複数の面と一致したとき、例えばアナログの底面が物理的模型の基部面と重なるときに起こる。
【００６１】
本発明の第１、第２および他の態様および実施形態は、他のいずれの態様または実施形態とも組み合わせることができる。本発明のこれらのそして他の態様および実施形態は、以下で説明する実施形態を参照することによって明らかになる。
【００６２】
続いて、図面を参照して、本発明に係るデンタルインプラントアナログ、デンタルインプラントアナログを含むインプラントアナログのキット、患者の歯群の物理的模型とデンタルインプラントアナログの組合せ、およびデンタルインプラントアナログを患者の歯群の物理的模型に配置する方法をより詳細に説明する。図面は、本発明の一実施形態を示しており、添付の請求の範囲に含まれる他の可能な実施形態に対して限定的に解釈されるべきではない。
【図面の簡単な説明】
【００６３】
【図１】本発明のいくつかの実施形態に係るインプラントアナログを示す３次元の図である。
【図２】本発明の他のいくつかの実施形態に係るインプラントアナログを示す３次元の図である。
【図３Ａ】本発明のいくつかの実施形態に係る患者の歯の物理的模型内の貫通孔を示す三次元の図である。
【図３Ｂ】本発明のいくつかの実施形態に係る患者の歯の物理的模型内の貫通孔を示す三次元の図である。
【図４】本発明のいくつかの実施形態に係る、物理的模型の貫通孔に挿入されてインプラントアナログと係合する細長いピンを示す断面図である。
【図５】インプラントアナログに固定された細長いピンと係合し、インプラントアナログを物理的模型の貫通孔内の所定位置に引っ張る引張工具を示す断面図である。
【図６Ａ】締付工具であるインプラントアナログと係合する要素を示す断面図である。
【図６Ｂ】締付工具であるインプラントアナログと係合する要素を示す三次元の図である。
【図７Ａ】ねじであるインプラントアナログと係合する要素がインプラントアナログと係合した状態を示す断面図である。
【図７Ｂ】ねじであるインプラントアナログと係合する要素を単独で示す三次元の図である。
【図８】本発明の一形態に係る方法のフローチャートである。
【発明を実施するための形態】
【００６４】
図１，図２は、近位端部１、中間部２、および遠位端部３を備えるインプラントアナログ５の三次元の図である。
インプラントアナログは、アナログの長手方向軸に沿った内部穴４によって特徴づけられている。本実施形態では、アナログは、中間部に環状のリップ部９を有しており、リップ部９は、傾斜した上面を有する複数の三角形のウェッジを含む。
【００６５】
近位端部１は、案内機能を有する１つのリセス８と、回転防止機能を有し、互いに反対側に位置する２つのリセス７を備える。互いに反対側に位置する２つのリセス７は、それぞれ鋭い切削刃１１を有する。
内部穴４は、めねじ６を備える。
インプラントアナログ５は、面取りされた縁１０などの他の案内手段も有している。
【００６６】
図３Ａ，図３Ｂは、患者の歯の物理的模型の貫通孔を示す３次元の図であり、貫通孔は突出部１５，１２を有している。
インプラントアナログが貫通孔に挿入されると、環状のリップ部９の三角形のウェッジが、貫通孔の内部面に設けられた相補的な突出部１５にスナップフィット方式で係合し、アナログを孔に固定する。
２つの突出部１２は、リセス７と相補的であり、物理的模型の孔に挿入されたアナログの望ましくない回転を防止する。
鋭い切削刃１１は、アナログの挿入時に余分な材料を取り除き、確実にぴったりと嵌るようにする。
リセス８は、突出部２４と相補的であり、挿入が確実に正しい方向で行われるようにする。
【００６７】
図４は、物理的模型１６の貫通孔に入ってインプラントアナログと係合する細長いピン１７の断面を示している。細長いピン１７は、おねじが設けられた端部を備え、この端部は、インプラントアナログの内部穴のめねじを備える端部と係合する。
【００６８】
図５に示すように係合されると、インプラントアナログは、引張工具１９によって物理的模型１６内の所定位置に配置される。
【００６９】
図６Ａ，図６Ｂは、インプラントアナログと係合する要素が締付工具１４である実施形態を示している。この実施形態では、インプラントアナログは、工具１４を締めることによって所定位置に正確に引っ張られる。
【００７０】
図７Ａ，図７Ｂは、インプラントアナログと係合する要素がねじ２０である実施形態を示している。
【００７１】
ねじ２０は、インプラントアナログの孔のめねじと係合するおねじ２２を備える。ねじ２０は、さらに、締付工具の突起またはリセスと噛み合うように設けられた係合面２１を有する第２端部を備える。
【００７２】
図８は、本発明の第２形態に係るインプラントアナログのキットを使用して、患者の歯群の物理的模型にデンタルインプラントアナログを配置する方法２３のフローチャートである。
方法２３は、（Ｓ１）本発明の第１形態に係るデンタルインプラントアナログを、患者の歯群の物理的模型の基部面から基部面とは反対側の歯肉面まで延びる貫通孔の歯肉面を通して挿入し、（Ｓ２）要素の第１端部を、基部面から基部面とは反対側の歯肉面まで延びる貫通孔の基部面を通して挿入し、（Ｓ３）要素の第１端部のおねじと少なくとも１つの内部穴のめねじとを係合させ、（Ｓ４）要素、引張工具または押込工具の端面と、インプラントアナログの底面などの第１面が接触して、端面と底面が貫通孔を囲む物理的模型の基部面などの患者の歯の物理的模型の１つまたは複数の面と一致するまで、デンタルインプラントアナログを所定位置に引っ張るか、押し込むか、ねじ込むことを含む。
【００７３】
本発明を特定の実施形態に関して説明したが、開示した実施形態に限定して解釈されるべきではない。本発明の範囲は、添付の請求の範囲によって定められる。請求項において、“ｃｏｍｐｒｉｓｉｎｇ”や“ｃｏｍｐｒｉｓｅｓ”は、他の可能な要素またはステップを除外するものではない。また、“ａ”や“ａｎ”などの冠詞は、複数を除外すると解釈されるべきではない。図に示した要素に関する請求項における参照符号の使用も、発明の範囲を限定するものと解釈されるべきではない。さらに、異なる請求項に記載された個々の特徴は、有利に組み合わせることができ、これらの特徴が別の請求項に記載されていることによって、特徴の組合せやその利点が除外されるものではない。
【図１】
2021508280.tif 000003
【図２】
2021508280.tif 000004
【図３Ａ】
2021508280.tif 000005
【図３Ｂ】
2021508280.tif 000006
【図４】
2021508280.tif 000007
【図５】
2021508280.tif 000008
【図６Ａ】
2021508280.tif 000009
【図６Ｂ】
2021508280.tif 000010
【図７Ａ】
2021508280.tif 000011
【図７Ｂ】
2021508280.tif 000012
【図８】
2021508280.tif 000013
【手続補正書】
【提出日】令和3年1月22日(2021.1.22)
【手続補正１】
【補正対象書類名】特許請求の範囲
【補正対象項目名】全文
【補正方法】変更
【補正の内容】
【特許請求の範囲】
【請求項１】
細長い円柱状の本体を備えるデンタルインプラントアナログ（５）であって、反対側に面する第１面と第２面を有し、前記第１面は、使用時に前記インプラントアナログと患者の歯の物理的模型の１つまたは複数の面との積極的な位置合わせのための基準面であり、前記インプラントアナログは、患者の歯群の前記物理的模型の貫通孔内に引っ張ることによって挿入されるように設けられており、患者の歯の前記物理的模型の前記１つまたは複数の面は、前記貫通孔を囲んでおり、前記インプラントアナログは、前記第１面から前記貫通孔に挿入されるように設けられており、前記デンタルインプラントアナログは、
遠位端部（３）と、
近位端部（１）であって、前記近位端部は、前記アナログの長手方向軸に沿った少なくとも１つの内部穴（４）を有し、前記少なくとも１つの内部穴は、めねじを備える近位端部と、
前記遠位端部と前記近位端部との間に位置する中央部または中間部（２）と、をさらに備え、
前記近位端部は、切削手段を有し、前記切削手段は、前記インプラントが引っ張ることによって挿入されるときに、患者の歯群の前記物理的模型の前記貫通孔の内部面に存在する余分な材料を掻き落とすように設けられており、これにより、前記インプラントアナログが患者の歯群の前記物理的模型の前記貫通孔に確実にぴったりと嵌り、前記切削手段は、切削刃（１１）であることを特徴とするデンタルインプラントアナログ。
【請求項２】
前記遠位端部は前記第１面を有し、前記近位端部は前記第２面を有することを特徴とする請求項１に記載のデンタルインプラントアナログ。
【請求項３】
前記遠位端部は前記第２面を有し、前記近位端部は前記第１面を有することを特徴とする請求項１に記載のデンタルインプラントアナログ。
【請求項４】
前記インプラントアナログは、
回転防止手段（７）と、
案内手段（８，９，１０）と、をさらに備えることを特徴とする請求項１に記載のデンタルインプラントアナログ。
【請求項５】
前記回転防止手段は、前記めねじを備える前記少なくとも１つの内部穴を囲む突出部および／またはリセスを含み、前記の突出部および／またはリセスは、使用時に患者の歯群の前記物理的模型の前記貫通孔に設けられた相補的なリセスおよび／または突出部（１２）と係合し、患者の歯群の前記物理的模型内における前記デンタルインプラントアナログの望ましくない回転を防止することを特徴とする請求項１に記載のデンタルインプラントアナログ。
【請求項６】
前記回転防止手段は、前記案内手段を含むことを特徴とする請求項１に記載のデンタルインプラントアナログ。
【請求項７】
前記近位端部は、前記回転防止手段と前記案内手段を含むことを特徴とする請求項１に記載のデンタルインプラントアナログ。
【請求項８】
前記中間部は、前記案内手段を含むことを特徴とする請求項１に記載のデンタルインプラントアナログ。
【請求項９】
前記案内手段は、環状のリップ部（９）を有し、前記リップ部は、患者の歯群の前記物理的模型の前記貫通孔に設けられた１つまたは複数の相補的な突出部（１５）と係合するように設けられており、前記１つまたは複数の相補的な突出部とのスナップフィットを提供することを特徴とする請求項１に記載のデンタルインプラントアナログ。
【請求項１０】
前記環状のリップ部（９）は、前記長手方向軸に沿って前記めねじを備える前記少なくとも１つの内部穴を囲む円状のリップ部を含み、前記環状のリップ部（９）は、傾斜した係合用の上面を有する三角形の要素を含むことを特徴とする請求項９に記載のデンタルインプラントアナログ。
【請求項１１】
前記環状のリップ部（９）は、前記長手方向軸に沿って前記めねじを備える前記少なくとも１つの内部穴を囲む円状のリップ部を含み、前記環状のリップ部（９）は、傾斜した係合用の上面を有する三角形の要素を含み、
前記傾斜した上面は、使用時にスナップフィット方式で患者の歯群の前記物理的模型の前記貫通孔に設けられた前記１つまたは複数の相補的な突出部と係合することを特徴とする請求項９に記載のデンタルインプラントアナログ。
【請求項１２】
前記中間部は、切削手段を含むことを特徴とする請求項１に記載のデンタルインプラントアナログ。
【請求項１３】
前記遠位端部は、切削手段を含むことを特徴とする請求項１に記載のデンタルインプラントアナログ。
【請求項１４】
インプラントアナログのキット（１６）であって、
請求項１に記載の前記デンタルインプラントアナログと、
第１端部（１８，２２）と第２端部（１７，２１）を有する要素と、を有し、前記第１端部は、前記少なくとも１つの内部穴の前記めねじと係合するように設けられたおねじを備えることを特徴とするインプラントアナログのキット。
【請求項１５】
前記要素は、前記第２端部（１７）に引張工具（１９）と係合するように設けられた係合面を有する細長い要素であることを特徴とする請求項１４に記載のインプラントアナログのキット。
【請求項１６】
前記要素は、ねじ（２０）であり、前記第２端部（２１）は、締付工具の突起またはリセスと噛み合うように設けられた係合面を有することを特徴とする請求項１４に記載のインプラントアナログのキット。
【請求項１７】
患者の歯群の物理的模型と請求項１に記載のデンタルインプラントアナログの組合せであって、患者の歯群の前記物理的模型は、基部面と、基部面とは反対側の歯肉部と、前記基部面から前記基部面とは反対側の歯肉部まで延びる貫通孔と、を有し、前記貫通孔は、前記少なくとも１つの内部穴を囲む相補的な突出部および／またはリセスと係合する１つまたは複数のリセスおよび／または突出部を含み、患者の歯群の前記物理的模型の前記貫通孔に設けられた前記１つまたは複数の突出部は、１つまたは複数のウェッジ要素を含み、患者の歯群の前記物理的模型の前記貫通孔に設けられた前記１つまたは複数の突出部は、前記貫通孔の内部面に設けられた１つまたは複数の凹部であることを特徴とする組合せ。
【請求項１８】
前記１つまたは複数の凹部は、前記貫通孔の前記内部面に設けられた溝であることを特徴とする請求項１７に記載の組合せ。
【請求項１９】
請求項１４に記載のインプラントアナログのキットを使用して、デンタルインプラントアナログを患者の歯群の物理的模型に配置する方法であって、前記方法は、
請求項１に記載のデンタルインプラントアナログを、患者の歯群の前記物理的模型の基部面から前記基部面とは反対側の歯肉面まで延びる貫通孔の前記歯肉面を通して挿入し、
前記要素の前記第１端部を、前記基部面から前記基部面とは反対側の歯肉面まで延びる前記貫通孔の前記基部面を通して挿入し、
前記要素の前記第１端部の前記おねじを、前記少なくとも１つの内部穴の前記めねじと係合させ、
前記要素または前記引張工具の端面と、前記インプラントアナログの前記第１面が接触して、前記端面と前記底面が、前記貫通孔を囲む患者の歯の前記物理的模型の前記１つまたは複数の面と一致するまで、前記デンタルインプラントアナログを所定位置に引っ張ることを含むことを特徴とする方法。
【国際調査報告】
2021508280.tif 000014
2021508280.tif 000015
2021508280.tif 000016